(57)【要約】【課題】より単純な構成で仕様変更等に汎用的に対応することが可能な画像処理システム等を提供すること。【解決手段】画像処理システム５０が、画像処理回路１００と、可変論理回路２００を含み、可変論理回路２００が、画像処理回路１００からの画像信号を入力して設定値に応じた経路に当該画像信号を出力する複数の経路選択部２４０と、経路からの画像信号を表示回路６０へ向け出力する複数の出力端子２５０と、表示回路６０に応じて経路選択部２４０に設定値を設定する経路設定部２３０を含んで構成される。【選択図】図２
2009104012.tif 000002
【特許請求の範囲】
【請求項１】
画像処理回路と、
可変論理回路と、
を含み、
前記可変論理回路は、
前記画像処理回路からの画像信号を入力して設定値に応じた経路に当該画像信号を出力する複数の経路選択部と、
前記経路からの画像信号を表示回路へ向け出力する複数の出力端子と、
前記表示回路に応じて前記複数の経路選択部に前記設定値を設定する経路設定部と、
を含むことを特徴とするプロジェクタ用の画像処理システム。
【請求項２】
請求項１に記載の画像処理システムにおいて、
前記複数の出力端子からの画像信号を入力するとともに、前記表示回路の駆動電圧に応じて振幅電圧を調整して当該画像信号を前記表示回路に出力する信号出力部を含むことを特徴とする画像処理システム。
【請求項３】
請求項１、２のいずれかに記載の画像処理システムにおいて、
前記可変論理回路は、
前記画像処理回路からの画像信号を入力する信号入力部と、
前記信号入力部からの画像信号のタイミングを調整するとともに、調整した画像信号を前記複数の経路選択部に出力する信号タイミング調整部と、
を含むことを特徴とする画像処理システム。
【請求項４】
請求項１〜３のいずれかに記載の前記画像処理システムと、
請求項１〜３のいずれかに記載の前記表示回路と、
を含むプロジェクタ。
【請求項５】
プロジェクタにおける画像信号伝送方法において、
前記プロジェクタは、
表示回路に応じて複数の経路選択部に設定値を設定し、
画像処理回路からの画像信号を前記複数の経路選択部に入力し、
当該経路選択部に入力した画像信号を前記設定値に応じた経路に入力し、
当該経路に入力した画像信号を前記表示回路に入力することを特徴とする画像信号伝送方法。
【発明の詳細な説明】
【技術分野】
【０００１】
本発明は、プロジェクタにおける画像処理システム、プロジェクタおよび画像信号伝送方法に関する。
【背景技術】
【０００２】
画像データのデジタル処理を行う画像処理システムには、大量のデータを遅延なく処理する能力が要求される。このため、一般的には、画像処理アルゴリズムを確定し、ハードウェア論理回路（ＩＣ）で処理する手法が用いられており、画像信号の伝送経路は固定されている。
【０００３】
しかし、この手法の場合、仕様の変更、画像処理アルゴリズムの改良、回路基板の構成変更等が発生する度にＩＣの構成を変更する必要があり、費用等の面で問題があった。このような問題を解決する手法として、特開２００３−１６７８４３号公報に記載されているように、可変論理回路を用いる手法が考えられる。
【０００４】
具体的には、特開２００３−１６７８４３号公報の手法では、専用Ｉ／Ｆに機能変更情報と必要資源情報を記憶し、汎用Ｉ／Ｆが専用Ｉ／Ｆからこれらの情報を読み出して機能変更設定を行っている。
【特許文献１】特開２００３−１６７８４３号公報
【発明の開示】
【発明が解決しようとする課題】
【０００５】
しかし、特開２００３−１６７８４３号公報の手法の場合、専用Ｉ／Ｆと汎用Ｉ／Ｆとの双方向の伝送経路を設ける必要があり、汎用Ｉ／Ｆから専用Ｉ／Ｆへの一方向の伝送経路のみを設ける場合と比べて構成が複雑になる。また、例えば、専用Ｉ／Ｆに機能変更情報等を記憶しなければならないため、専用Ｉ／Ｆの設計者が汎用Ｉ／Ｆの内部構造を把握する必要がある。このため、専用Ｉ／Ｆのメーカーと汎用Ｉ／Ｆのメーカーが異なるといった場合、汎用Ｉ／Ｆのメーカーが他のメーカー（専用Ｉ／Ｆのメーカー）に内部構造を教える必要があるため、当該手法を実際に適用することは好ましくない。さらに、単に可変論理回路を用いる手法の場合、信号のタイミング等を調整することはできない。
【０００６】
本発明の目的は、より単純な構成で仕様変更等に汎用的に対応することが可能な画像処理システム、プロジェクタおよび画像信号伝送方法を提供することにある。
【課題を解決するための手段】
【０００７】
本発明に係るプロジェクタ用の画像処理システムは、画像処理回路と、可変論理回路と、を含み、前記可変論理回路は、前記画像処理回路からの画像信号を入力して設定値に応じた経路に当該画像信号を出力する複数の経路選択部と、前記経路からの画像信号を表示回路へ向け出力する複数の出力端子と、前記表示回路に応じて前記複数の経路選択部に前記設定値を設定する経路設定部と、を含むことを特徴とする。
【０００８】
また、本発明に係るプロジェクタは、前記画像処理システムと、前記表示回路と、を含むことを特徴とする。
【０００９】
また、本発明に係る画像信号伝送方法は、プロジェクタにおける画像信号伝送方法において、前記プロジェクタは、表示回路に応じて複数の経路選択部に設定値を設定し、画像処理回路からの画像信号を前記複数の経路選択部に入力し、当該経路選択部に入力した画像信号を前記設定値に応じた経路に入力し、当該経路に入力した画像信号を前記表示回路に入力することを特徴とする。
【００１０】
本発明によれば、画像処理システム等は、設定値に応じて経路を選択可能な経路選択部を用いることにより、表示回路側から画像処理システム側に信号を出力する経路を用いる必要がないため、構成がより単純になる上、仕様変更等にも汎用的に対応することができる。
【００１１】
また、前記画像処理システムは、前記複数の出力端子からの画像信号を入力するとともに、前記表示回路の駆動電圧に応じて振幅電圧を調整して当該画像信号を前記表示回路に出力する信号出力部を含んでもよい。
【００１２】
これによれば、画像処理システム等は、表示回路の駆動電圧に応じて画像信号の振幅電圧を調整することにより、表示回路に適した画像信号を出力することができるため、仕様変更等にも汎用的に対応することができる。
【００１３】
また、前記可変論理回路は、前記画像処理回路からの画像信号を入力する信号入力部と、前記信号入力部からの画像信号のタイミングを調整するとともに、調整した画像信号を前記複数の経路選択部に出力する信号タイミング調整部と、を含んでもよい。
【００１４】
これによれば、画像処理システム等は、画像信号のタイミングを調整することにより、画像信号に遅延等が発生した場合であっても適切なタイミングで画像信号を出力することができる。
【発明を実施するための最良の形態】
【００１５】
以下、本発明をプロジェクタ内の画像処理システムに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１６】
図１は、本実施例におけるプロジェクタ１０の投写状態を示す図である。プロジェクタ１０は、前面投写型のプロジェクタであり、スクリーン２０へ向け画像３０を投写する。プロジェクタ１０は、表示回路の仕様等に応じて画像信号の配列、タイミング、振幅電圧を調整可能な画像処理システムを含んで構成されている。
【００１７】
図２は、本実施例における画像処理システム５０の機能ブロック図である。プロジェクタ１０は、画像データを記憶するメモリ４０（例えば、ＶＲＡＭ等）と、種々の画像処理を実行する画像処理システム５０と、表示回路６０（例えば、液晶駆動回路等）を含んで構成されている。
【００１８】
また、画像処理システム５０は、種々の画像処理（例えば、色補正処理、明るさ補正処理、台形歪み補正処理、あるいは、ＢＭＰ、ＪＰＥＧ等の静止画像データやＭＰＥＧ等の動画像データの再生等）を実行する画像処理回路１００（例えば、ＧＰＵ等）と、画像処理回路１００からの画像信号を、必要に応じて配列（例えば、ビット列、出力先のピン番号等）、タイミング（例えば、位相等）、振幅電圧を調整する可変論理回路２００を含んで構成されている。
【００１９】
また、可変論理回路２００は、画像処理回路１００からの画像信号を入力する信号入力部２１０と、信号入力部２１０からの画像信号のタイミングを調整するとともに、調整した画像信号を経路選択部２４０に出力する信号タイミング調整部２２０と、複数の経路選択部２４０−１〜２４０−ｍと、経路選択部２４０に設定値を設定する経路設定部２３０と、経路選択部２４０からの画像信号を信号出力部２６０に出力する複数の出力端子２５０−１〜２５０−ｎと、信号出力部２６０を含んで構成されている。
【００２０】
なお、経路選択部２４０には複数の経路（信号線）が接続されており、設定値に応じた経路に画像信号を出力する。例えば、経路選択部２４０−１は、設定値が０の場合は出力端子２５０−１への経路に画像信号値を出力し、設定値が１の場合は出力端子２５０−２への経路に画像信号値を出力する。もちろん、経路選択部２４０と出力端子２５０との経路に、さらに経路選択部２４０が含まれ、複数の経路選択部２４０を経由して画像信号が出力端子２５０に出力されてもよい。
【００２１】
また、経路設定部２３０は、可変論理回路２００の外部の制御回路からの設定値を示す設定命令に応じて経路選択部２４０に設定値を設定してもよいし、可変論理回路２００が備えている複数の経路設定端子の状態の組み合わせに応じて経路選択部２４０に設定値を設定してもよいし、複数種の設定パターンデータを記憶しておき、制御回路からの制御命令に応じて適用する設定パターンデータを決定して経路選択部２４０に設定値を設定してもよい。
【００２２】
図３は、本実施例における設定パターンを示す図である。例えば、経路選択部２４０−１〜２４０−ｍのうちの８つが入力ピン番号０〜７に該当し、出力端子２５０−１〜２５０−ｎのうちの８つが出力ピン番号０〜７に該当するものとする。また、入力ピン番号０の経路選択部２４０は、設定値が０の場合は出力ピン番号０の出力端子２５０に画像信号を出力し、設定値が１の場合は出力ピン番号７の出力端子２５０に画像信号を出力し、入力ピン番号１の経路選択部２４０は、設定値が０の場合は出力ピン番号１の出力端子２５０に画像信号を出力し、設定値が１の場合は出力ピン番号６の出力端子２５０に画像信号を出力するものとする。その他の経路選択部２４０も同様に（図３に示すように）設定値に応じて異なる出力端子２５０に画像信号を出力するものとする。
【００２３】
例えば、パターン１の場合、入力ピン番号０〜７は、それぞれ出力ピン番号０〜７と対応付けられ、パターン２の場合、入力ピン番号０〜７は、それぞれ出力ピン番号７〜０と対応付けられる。このように、可変論理回路２００は、経路選択部２４０の設定値に応じて異なる出力端子２５０から画像信号を出力することができる。
【００２４】
また、信号入力部２１０には入力部駆動電源入力部２９０から駆動電力が供給され、信号処理部２０２（信号タイミング調整部２２０、経路設定部２３０、経路選択部２４０および出力端子２５０）には処理部駆動電源入力部２９２から駆動電力が供給され、信号出力部２６０には出力部駆動電源入力部２９４から駆動電力が供給される。このように、複数の駆動電源入力部を設けることにより、可変論理回路２００は、信号入力部２１０、信号処理部２０２、信号出力部２６０をそれぞれ異なる電圧で駆動することができる。
【００２５】
次に、これらの各部を用いた画像信号伝送手順について説明する。図４は、本実施例における画像信号伝送手順を示すフローチャートである。例えば、表示回路６０の仕様変更時、新たな表示回路６０の適用時、画像処理システム５０の画像処理アルゴリズムの変更時等において、経路設定部２３０は、可変論理回路２００の外部の制御回路からの制御命令等に応じて経路選択部２４０に設定値を設定する（ステップＳ１）。これにより、表示回路６０に応じた経路で画像信号が表示回路６０に出力されるようになる。
【００２６】
画像の表示指示があった場合、画像処理回路１００は、メモリ４０から画像データを読み出し（ステップＳ２）、当該画像データに対して画像処理を実行し（ステップＳ３）、画像処理後の画像信号を信号処理部２０２に出力する（ステップＳ４）。
【００２７】
信号入力部２１０は、画像処理回路１００からの画像信号を入力する（ステップＳ５）。なお、信号入力部２１０は、当該画像信号の振幅電圧が可変論理回路２００の駆動電圧とは異なる場合、入力部駆動電源入力部２９０からの供給電圧を用いて当該振幅電圧を駆動電圧に変更する。
【００２８】
信号タイミング調整部２２０は、当該画像信号のタイミングを調整する（ステップＳ６）。図５は、本実施例における画像信号のタイミング調整時のタイミングチャートを示す図である。なお、図５におけるクロック、同期信号、画像データは画像信号の一種である。
【００２９】
例えば、画像信号の伝送遅延等によって入力クロックがしきい値を超えるタイミング（ハイになるタイミング）がずれてしまい、本来意図した画像信号と異なる場合がある。このような場合、信号タイミング調整部２２０は、入力クロックに同期信号と画像データを同期させ、入力クロックを反転させる。
【００３０】
これにより、信号タイミング調整部２２０は、表示回路６０における処理において、伝送遅延等の影響を低減することができる上、クロックの反転によって同期信号および画像データを取り込ませる時間を確保でき、適切なタイミングで同期信号および画像データを取り込ませることができる。
【００３１】
信号タイミング調整部２２０は、タイミングの調整を行った画像信号を、経路選択部２４０、出力端子２５０を介して信号出力部２６０に出力する（ステップＳ７）。
【００３２】
信号出力部２６０は、必要に応じて（例えば、画像信号の振幅電圧が表示回路６０の駆動電圧と異なる場合等）出力部駆動電源入力部２９４からの供給電圧を用いて振幅電圧を調整して表示回路６０に画像信号を出力する（ステップＳ８）。なお、出力部駆動電源入力部２９４からの供給電圧は、表示回路６０の駆動電圧と同じであることが好ましい。
【００３３】
以上のように、本実施例によれば、画像処理システム５０は、設定値に応じて経路を選択可能な経路選択部２４０を用いることにより、画像処理回路１００が出力した画像信号を表示回路６０の仕様に適した配列に並べ替えて表示回路６０に出力することができる上、表示回路６０側から画像処理システム５０側に信号を出力する経路を用いる必要がないため、構成がより単純になる上、仕様変更等にも汎用的に対応することができる。
【００３４】
例えば、画像処理システム５０は、設計変更によって表示回路６０の画像信号入力基板が裏返しの状態で配置されるようになった場合（すなわち、画像信号入力端子のピン配列が逆になった場合）であっても、図３に示すように、経路選択部２４０の設定値を変更するだけで適切に画像信号を表示回路６０に入力することができる。
【００３５】
また、本実施例によれば、可変論理回路２００に高速ＣＰＵは不要であるため、高速ＣＰＵを用いたソフトウェア的な処理による画像信号伝送方法と比べ、安価に可変論理回路２００を実装することができる。
【００３６】
また、本実施例によれば、画像処理システム５０が、入力部駆動電源入力部２９０、処理部駆動電源入力部２９２、出力部駆動電源入力部２９４を用いることにより、可変論理回路２００は、信号入力部２１０、信号処理部２０２、信号出力部２６０をそれぞれ異なる電圧で駆動することができる。また、画像処理システム５０は、表示回路６０の駆動電圧に応じて画像信号の振幅電圧を調整することにより、表示回路６０に適した画像信号を出力することができるため、仕様変更等にも汎用的に対応することができる。
【００３７】
また、本実施例によれば、画像処理システム５０は、入力部駆動電源入力部２９０、処理部駆動電源入力部２９２、出力部駆動電源入力部２９４を用いることにより、駆動電圧の異なる基板間において、適切に画像信号を伝送することができる。
【００３８】
また、本実施例によれば、画像処理システム５０は、画像信号のタイミングを調整することにより、画像信号に遅延等が発生した場合であっても適切なタイミングで画像信号を出力することができる。
【００３９】
さらに、本実施例によれば、可変論理回路２００が信号伝送経路の変更に対応することができるため、画像処理回路１００は、大量データの高速演算処理等に専念することができる。
【００４０】
なお、本発明の適用は上述した実施例に限定されず、種々の変形が可能である。例えば、１つの経路選択部２４０が選択可能な経路は２つには限定されず、３つ以上であってもよい。
【００４１】
また、経路選択部２４０と出力端子２５０の対応付け（例えば、経路選択部２４０の経路の分岐先、図３に示すピン番号の対応付け等）は上述した実施例には限定されず、仕様等に応じて任意の対応付けが可能である。
【００４２】
また、プロジェクタ１０は、液晶プロジェクタには限定されず、例えば、ＤＭＤ(Digital Micromirror Device)を用いたプロジェクタ等であってもよい。なお、ＤＭＤは米国テキサス・インスツルメンツ社の商標である。また、プロジェクタ１０は、前面投写型には限定されず、背面投写型のプロジェクタ（例えば、リアプロジェクタ、プロジェクションテレビ等）であってもよい。また、プロジェクタ１０の機能を複数の装置（例えば、ＰＣとプロジェクタ等）に分散して実装してもよい。
【図面の簡単な説明】
【００４３】
【図１】本実施例におけるプロジェクタの投写状態を示す図である。
【図２】本実施例における画像処理システムの機能ブロック図である。
【図３】本実施例における設定パターンを示す図である。
【図４】本実施例における画像信号伝送手順を示すフローチャートである。
【図５】本実施例における画像信号のタイミング調整時のタイミングチャートを示す図である。
【符号の説明】
【００４４】
１０  プロジェクタ、２０  スクリーン、３０  画像、４０  メモリ、５０  画像処理システム、６０  表示回路、１００  画像処理回路、２００  可変論理回路、２０２  信号処理部、２１０  信号入力部、２２０  信号タイミング調整部、２３０  経路設定部、２４０  経路選択部、２５０  出力端子、２６０  信号出力部、２９０  入力部駆動電源入力部、２９２  処理部駆動電源入力部、２９４  出力部駆動電源入力部
【図１】
2009104012.tif 000003
【図２】
2009104012.tif 000004
【図３】
2009104012.tif 000005
【図４】
2009104012.tif 000006
【図５】
2009104012.tif 000007